(57)【要約】【課題】十分な固定強度が確実に得られ、物品収納時の荷重に十分に耐えることのできる吊戸棚を提供すること。【解決手段】対向して配置される天板５および底板６と、天板および底板の左右両端部に配設される一対の側板７、８と、天板、底板および左右の側板の後端側に配設される背板９とから形成された前方に開口する箱体２を備え、背板の裏面側における天板の直下に左右の側板に跨って横方向に延びる後上桟１１が配設され、後上桟は、上端面１２において天板にダボ結合し、左右の側端面１４、１５において左右の側板のそれぞれにダボ結合している。【選択図】図１
2010004976.tif 000002
【特許請求の範囲】
【請求項１】
対向して配置される天板および底板と、天板および底板の左右両端部に配設される一対の側板と、天板、底板および左右の側板の後端側に配設される背板とから形成された前方に開口する箱体を備えた吊戸棚において、背板の裏面側における天板の直下に左右の側板に跨って横方向に延びる後上桟が配設され、後上桟は、上端面において天板にダボ結合し、左右の側端面において左右の側板のそれぞれにダボ結合していることを特徴とする吊戸棚。
【請求項２】
後上桟には、上端面に複数のダボが上方に突出して配設されるとともに、左右の側端面に複数のダボが外側方に突出して配設され、天板の後端部下側および左右の側板の後端部内側にダボに対向するダボ孔が形成され、それぞれのダボ孔にダボが嵌入してダボ結合することを特徴とする請求項１に記載の吊戸棚。
【発明の詳細な説明】
【技術分野】
【０００１】
本発明は、流し台、洗面化粧台などの上方に配置され、内壁面部に取り付けられる吊戸棚に関する。
【背景技術】
【０００２】
たとえば図３に示したように、吊戸棚３１については、前方に開口する箱体３２を備え、箱体３２の前端開口部を開閉する観音式などの扉３３が配設されたものが一般的に知られている。箱体３２は、対向して配置された天板３４および底板３５と、天板３４および底板３５の左右両端部に配設された一対の側板３６、３７と、天板３４、底板３５および左右の側板３６、３７の後端側に配設された背板３８とから形成されている。
【０００３】
このような吊戸棚３１は、背板３８を後方に貫通するねじを内壁面部にねじ込み、流し台、洗面化粧台などの上方の所望の位置に取り付けられ、固定される。取付強度などを考慮して箱体３２の内部の所定部位に取付部材が配設され、吊戸棚３１の取り付けが一定の品質および精度で行われるような工夫もなされている。しかしながら、内壁面部においてねじ込み位置に下地桟などの構造材が存在しない場合、上記取付部材を通じてねじをねじ込んでもねじが石膏ボードなどの面材を貫通するだけであり、十分な固定強度が得られず、物品収納時の荷重に耐えられないという問題が生ずる。落下などの虞もあり、危険であるため、上記問題の早急な解決が望まれる。
【０００４】
吊戸棚３１には、背板３８の裏面に、左右の側板３６、３７に跨って横方向に延びる上桟材３９が天板３４の直下に配設され、また、同じく左右の側板３６、３７に跨って横方向に延びる下桟材４０が底板３５の直上に配設されることがある。しかしながら、上桟材３９および下桟材４０はともに、天板３４、底板３５および左右の側板３６、３７より厚みの薄い背板３８を補強するなどのために設けられるものであり、接着およびタッカー留めによって背板３８に取り付けられている。したがって、たとえば上桟材３９を通じて内壁面部の構造材にねじをねじ込んだとしても、接着およびタッカー留めでは物品収納時の数百ｋｇ程度の荷重に耐えることができず、上記問題を解決することができない。
【０００５】
一方、下記特許文献１には、下方向荷重に対する強度を強化させ、荷重を受けても傾いて内壁面との間に隙間が発生しない吊戸棚が記載されている。この吊戸棚では、棚板などを受ける中仕切板を吊戸棚の強度メンバーとするべく、中仕切板の上面と下面とを連結具を介して夫々天板と見上板に固着するとともに、中仕切板の背面が当接する背板の裏面側に壁固定用エレメントを配設し、壁固定用エレメントを連結具を介して天板と見上板とに固着している。
【特許文献１】特開平１０−５０６２号公報
【発明の開示】
【発明が解決しようとする課題】
【０００６】
しかしながら、特許文献１に記載された吊戸棚は、上記の通り、棚板などを受ける中仕切板を強度メンバーとすることを前提とするものであり、中仕切板が配設されない吊戸棚では壁固定用エレメントが設けられることはないため、図３に例示した一般的な吊戸棚３１では下方荷重に対する強度を強化させることができない。
【０００７】
また、吊戸棚を取り付け、固定するためのねじは、壁固定用エレメントを貫通させて内壁面部にねじ込まれるので、ねじのねじ込み位置は中仕切板の配設位置によって決まり、内壁面部の構造に柔軟に対応することができない。したがって、特許文献１に記載された吊戸棚では、図３に例示した吊戸棚３１と同様に、十分な固定強度が得られず、物品収納時の荷重に耐えられない場合がある。
【０００８】
さらに、壁固定用エレメントは、長辺部に突設された一対のダボを連結具として天板または見上板に開設されたダボ孔に嵌装して止着されるが、左右の側板には固着されていないため、ねじを通じて壁固定用エレメントに加わる下方荷重を天板または見上板にしか逃がすことができない。したがって、特許文献１に記載された吊戸棚では、中仕切板の存在なしには耐荷重性能を上げることができない。
【０００９】
本発明は、以上の通りの事情に鑑みてなされたものであり、十分な固定強度が確実に得られ、物品収納時の荷重に十分に耐えることのできる吊戸棚を提供することを課題としている。
【課題を解決するための手段】
【００１０】
本発明は、上記の課題を解決するために、以下の特徴を有している。
【００１１】
第１の発明は、対向して配置される天板および底板と、天板および底板の左右両端部に配設される一対の側板と、天板、底板および左右の側板の後端側に配設される背板とから形成された前方に開口する箱体を備えた吊戸棚において、背板の裏面側における天板の直下に左右の側板に跨って横方向に延びる後上桟が配設され、後上桟は、上端面において天板にダボ結合し、左右の側端面において左右の側板のそれぞれにダボ結合していることを特徴としている。
【００１２】
第２の発明は、上記第１の発明の特徴において、後上桟には、上端面に複数のダボが上方に突出して配設されるとともに、左右の側端面に複数のダボが外側方に突出して配設され、天板の後端部下側および左右の側板の後端部内側にダボに対向するダボ孔が形成され、それぞれのダボ孔にダボが嵌入してダボ結合することを特徴としている。
【発明の効果】
【００１３】
上記第１の発明によれば、背板の裏面側における天板の直下に左右の側板に跨って横方向に延びる後上桟が配設されているので、内壁面部の構造に応じて適当な位置に後上桟を通じてねじを内壁面部にねじ込むことができる。このため、固定強度を十分に高めることができ、物品収納時の荷重に耐えることができる。
【００１４】
また、後上桟は、上端面において天板にダボ結合し、左右の側端面において左右の側板のそれぞれにダボ結合しているので、ねじを通じて後上桟に加わる荷重を天板および左右の側板の三方に分散させることができる。このため、固定位置にとらわれることなく固定強度は十分に高まり、耐荷重性能が向上する。
【００１５】
上記第２の発明によれば、後上桟には、上端面に複数のダボが上方に突出して配設されるとともに、左右の側端面に複数のダボが外側方に突出して配設されている。また、天板の後端部下側および左右の側板の後端部内側にダボに対向するダボ孔が形成されている。そして、それぞれのダボ孔にダボが嵌入してダボ結合する。このため、上記第１の発明の効果に加え、吊戸棚の組立に際してあらかじめ後上桟を天板にダボ結合させておくことができ、左右の側板の組立時に後上桟を左右の側板にダボ結合させることができる。したがって、従前の組立プロセスに変更を加えずに箱体を組み立てることができ、組立性に支障が生じない。
【発明を実施するための最良の形態】
【００１６】
図１は、本発明の吊戸棚の一実施形態を示した分解斜視図である。図２は、図１に示した吊戸棚の点線円内の拡大断面図である。
【００１７】
図１に示したように、吊戸棚１は、図３に例示したこれまでの一般的な吊戸棚３１と同様に、前方に開口する直方体状の箱体２を備え、箱体２の前端開口部を開閉する観音式の扉３が配設されている。扉３は、下端部に取っ手４を備えている。取っ手４は前方に開口し、前端部において上方に折れ曲がり、掛片４１が形成されている。物品の収納および取り出し時には、開口４２から指を入れ、掛片４１に引っ掛けて取っ手４を操作することができる。取っ手４は扉３の下端部に配設されていることから、吊戸棚１が流し台、洗面化粧台などの上方に取り付けられるものであっても、物品の収納および取り出し時の扉３の開閉を容易に行うことができる。
【００１８】
箱体２は、対向して配置された天板５および底板６と、天板５および底板６の左右両端部に配設された一対の側板７、８と、天板５、底板６および左右の側板７、８の後端側に配設された背板９とから形成されている。背板９は、図２にも示したように、天板５、底板６および左右の側板７、８の後端から若干前方寄りに配置されている。天板５の後端部下側および底板６の後端部上側には、それぞれ、横方向に延びる直線状の溝１０が形成され、溝１０は、天板５および底板６において対向している。また、左側の側板７の後端部右側および右側の側板８の後端部左側にも、それぞれ、縦方向に延びる直線状の溝１０が形成されている。溝１０は、左右の側板７、８において対向するとともに、天板５および底板６に形成された溝１０に端縁においてそれぞれ連通している。溝１０は、互いに連通し、矩形状に配置され、溝１０の内部に背板９の四周端縁部が挿入されている。
【００１９】
また、吊戸棚１では、背板９の裏面側における天板５の直下に後上桟１１が配設されている。後上桟１１は左右の側板７、８に跨って横方向に延び、吊戸棚１の間口方向に全体に延びている。後上桟１１には、上端面１２に上方に突出する円柱状のダボ１３が配設され、左右の側端面１４、１５に外側方に突出する同様なダボ１３が配設されている。上端面１２においてダボ１３は、後上桟１１の長さ方向の中央部に１つ配設されるとともに、この中央部のダボ１３から同一間隔で後上桟１１の左右両端部に１つずつ配設されている。上端面１２には合計３つのダボ１３が配設されている。左右の側端面１４、１５においてダボ１３は、後上桟１１の幅方向の中央部に１つ配設されるとともに、この中央部のダボ１３から同一間隔で後上桟１１の上下両端部に１つずつ配設されている。左右の側端面１４、１５には合計３つずつのダボ１３が配設されている。たとえば、後上桟１１の上端面１２および左右の側端面１４、１５の所定の位置に凹部を形成し、後上桟１１とは別体として作製したダボ１３をその一端部を凹部に差し込み、嵌合させることによって取り付けることができる。この他、ダボ１３は、後上桟１１と一体的に形成することも可能である。また、ダボ１３の数は、後上桟１１を天板５および左右の側板７、８に安定して取り付けることができる限り、特に限定されず、複数であればよく、配設位置は、ダボ１３の数に応じて適宜に設定することができる。
【００２０】
天板５および左右の側板７、８の後端部には、背板９の後方に位置する部分にダボ１３に対向するダボ孔１６が形成されている。具体的には、天板５の後端部下側に、後上桟１１の上端面１２に配設されたダボ１３に対向するダボ孔１６が３つ形成されている。また、左右の側板７、８の後端部内側に、後上桟１１の左右の側端面１４、１５に配設されたダボ１３にそれぞれ対向するダボ孔１６が３つずつ形成されている。それぞれのダボ孔１６にダボ１３が嵌入することによりダボ結合が実現され、後上桟１１は、上端面１２において天板５にダボ結合し、左右の側端面１４、１５において左右の側板７、８のそれぞれにダボ結合する。こうして、吊戸棚１では、後上桟１１が箱体２に取り付けられている。
【００２１】
取り付けられた後上桟１１は、図２に示したように、後端面１７を、天板５の後端面１８および左右の側板７、８の後端面と同一平面上または若干前方に配置させることができる。このような配置は、後上桟１１の厚みを背板９の裏面から天板５の後端面１８および左右の側板７、８の後端面までの長さ以内にすることにより実現される。後上桟１１の後端面１７が天板５の後端面１８および左右の側板７、８の後端面と同一平面上または若干前方に配置することにより、がたつきなく安定して吊戸棚１を内壁面部に取り付け、固定することができ、また、固定状態の吊戸棚１の外観が良好となる。
【００２２】
さらに、吊戸棚１には、左右の側板７、８に跨って横方向に延びる後下桟１９が底板６の直上に配設されている。後下桟１９は、後上桟１１と異なり、底板６および左右の側板７、８にダボ結合していない。接着およびタッカー留めによって背板９に取り付けられ、背板９を補強している。吊戸棚１の高さ方向の寸法が比較的長い場合には、後上桟１１と後下桟１９との間に後下桟１９と同様な後中桟を１本以上適当な間隔において背板９に接着およびタッカー留めによって取り付けることができる。後下桟１９および後中桟についても、後端面が底板６の後端面および左右の側板７、８の後端面と同一平面上または若干前方に配置させることができる。
【００２３】
上記の通りの吊戸棚１は、図２に示したように、箱体２の内部において、後上桟１１が配設されている背板９の上端部の正面側からねじ２０をねじ入れ、後上桟１１を貫通させ、内壁面部２１にねじ込むことにより、流し台、洗面化粧台などの上方の所望の位置に取り付け、固定される。
【００２４】
吊戸棚１では、後上桟１１は、背板９の裏面側における天板５の直下に左右の側板７、８に跨って横方向に延び、間口方向の全体に延びている。このため、内壁面部２１の構造に応じて、下地桟などの構造材が配設されている適当な位置にねじ２０を内壁面部２１にねじ込むことができる。このことから、吊戸棚１の固定強度を十分に高めることができ、物品収納時の荷重に耐えることができる。強度不足にともなう落下などの危険性は解消される。
【００２５】
また、吊戸棚１では、後上桟１１は、上端面１２において天板５にダボ結合し、左右の側端面１４、１５において左右の側板７、８のそれぞれにダボ結合している。このため、ねじ２０を通じて後上桟１１に加わる荷重を天板５および左右の側板７、８の三方に分散させることができる。このような天板５および左右の側板７、８の三方への荷重の分散によって、固定位置にとらわれることなく吊戸棚１の固定強度は十分に高まり、耐荷重性能が向上する。
【００２６】
さらに、吊戸棚１では、後上桟１１には、上端面１２に３つのダボ１３が上方に突出して配設されるとともに、左右の側端面１４、１５に３つのダボ１３が外側方に突出して配設されている。また、天板５の後端部下側および左右の側板７、８の後端部内側にダボ１３に対向するダボ孔１６が形成されている。そして、それぞれのダボ孔１６にダボ１３が嵌入してダボ結合する。このため、吊戸棚１の組立に際してあらかじめ後上桟１１を天板５にダボ結合させておくことができ、左右の側板７、８の組立時に後上桟１１を左右の側板７、８にダボ結合させることができる。したがって、従前の組立プロセスに変更を加えずに箱体２を組み立てることができ、吊戸棚１の組立性に支障が生じない。
【００２７】
なお、吊戸棚１は、本発明の一実施形態であって、本発明が吊戸棚１によって限定されることはない。たとえば、箱体２の形状や大きさ、扉３の有無、開閉方式、取っ手４の構造などの細部については様々な態様を本発明は包含する。
【図面の簡単な説明】
【００２８】
【図１】本発明の吊戸棚の一実施形態を示した分解斜視図である。
【図２】図１に示した吊戸棚の点線円内の拡大断面図である。
【図３】公知の一般的な吊戸棚を示した斜視図である。
【符号の説明】
【００２９】
１  吊戸棚
２  箱体
５  天板
６  底板
７、８  側板
９  背板
１１  後上桟
１２  上端面
１３  ダボ
１４、１５  側端面
１６  ダボ孔
【図１】
2010004976.tif 000003
【図２】
2010004976.tif 000004
【図３】
2010004976.tif 000005